(57)【要約】  本発明は、医療用エアゾール送達装置（２）の制御装置（１０）、医療用エアゾール送達システム（１）、医療用エアゾール送達装置（２）を制御する方法、かかる装置またはシステムを制御するコンピュータプログラム要素、およびかかるコンピュータプログラム要素を格納したコンピュータ可読媒体に関する。医療用エアゾール送達装置（２）の制御装置（１０）は、供給ユニット（１１）と、処理ユニット（１２）と、制御ユニット（１３）とを有する。供給ユニット（１１）は、呼吸ごとの吸入長データを提供するように構成される。処理ユニット（１２）は、提供された吸入長データを所定の吸入長閾値と比較し、所定の吸入長閾値未満の吸入長データをフィルタリングするように構成される。前記制御ユニット（１３）は、フィルタリングされた吸入長データに基づいて前記医療用エアゾール送達装置（２）を制御するように構成される。
2018526054.tif 000002
【特許請求の範囲】
【請求項１】
医療用エアゾール送達装置の制御装置であって、
供給ユニットと、
処理ユニットと、
制御ユニットとを有し、
前記供給ユニットは、呼吸ごとの吸入長データを提供するように構成され、
前記処理ユニットは、提供された吸入長データを所定吸入長閾値と比較し、前記所定吸入長閾値未満の吸入長データをフィルタリングするように構成され、
前記制御ユニットは、フィルタリングされた吸入長データに基づいて前記医療用エアゾール送達装置を制御するように構成される、
制御装置。
【請求項２】
前記所定吸入長閾値は、５０ｍｓと１０００ｍｓとの間である、
請求項１に記載の制御装置。
【請求項３】
前記所定吸入長閾値は、１００ｍｓと４００ｍｓとの間である、
請求項１または２に記載の制御装置。
【請求項４】
前記所定吸入長閾値は２５０ｍｓである。
請求項１ないし３いずれか一項に記載の制御装置。
【請求項５】
前記フィルタリングは、前記所定吸入長閾値未満の提供された吸入長データを除去することである、
請求項１ないし４いずれか一項に記載の制御装置。
【請求項６】
前記処理ユニットは、提供された吸入長データを処理して、呼吸ごとの移動平均値にするようにさらに構成され、前記フィルタリングは、前記所定吸入長閾値未満の提供された吸入長データを、前の呼吸の移動平均値による置換である、
請求項１ないし４いずれか一項に記載の制御装置。
【請求項７】
前記供給ユニットはさらに吸入フローデータを提供するように構成され、前記処理ユニットはさらに、提供されたフローデータがほぼゼロであるときをフィルタするように構成される、
請求項１ないし６いずれか一項に記載の制御装置。
【請求項８】
前記制御装置は、フィルタリングされた吸入長データに基づいてユーザのその後の吸入の予測吸入時間を計算するように構成される、
請求項１ないし７いずれか一項に記載の制御装置。
【請求項９】
前記制御装置は、フィルタリングされた吸入長データに基づいてユーザのその後の吸入の目標エアゾールパルス長を計算するように構成される、
請求項１ないし８いずれか一項に記載の制御装置。
【請求項１０】
エアゾール送達装置と、
請求項１ないし９いずれか一項に記載の制御装置とを有し、
前記制御装置は、前記エアゾール送達装置を制御するように構成され、
前記エアゾール送達装置は、エアゾールをユーザに送達するように構成される、
医療用エアゾール送達システム。
【請求項１１】
前記医療用エアゾール送達装置はメッシュベースの噴霧器である、
請求項１０に記載の医療用エアゾール送達システム。
【請求項１２】
医療用エアゾール送達装置を制御する方法であって、
呼吸ごとの吸入長データを提供するステップと、
提供される吸入長データを所定吸入長閾値と比較するステップと、
前記所定吸入長閾値より低い提供される吸入長データをフィルタリングするステップと、
フィルタリングされた吸入長データに基づいて前記医療用エアゾール送達装置を制御するステップとを有する方法。
【請求項１３】
請求項１ないし１１いずれか一項に記載の装置またはシステムを制御するコンピュータプログラム要素であって、処理ユニットにより実行された時、請求項１２に記載の方法のステップを実行するように構成された、コンピュータプログラム要素。
【請求項１４】
請求項１３に記載のコンピュータプログラム要素を記憶したコンピュータ読み取り可能媒体。
【発明の詳細な説明】
【技術分野】
【０００１】
本発明は、医療用エアゾール送達装置の制御装置、医療用エアゾール送達システム、医療用エアゾール送達装置を制御する方法、かかる装置またはシステムを制御するためのコンピュータプログラム要素、およびかかるコンピュータプログラム要素を格納したコンピュータ可読媒体に関する。
【背景技術】
【０００２】
特許文献１は、噴霧器の形態の薬物送達装置を開示している。噴霧器は、吸息中の霧化のパルスの持続時間を決定する手段を含み、かかる手段は、患者の一回換気量を測定する手段、吸息の持続時間を測定するタイミング手段、患者の上気道の容積の推定値を記憶する手段、測定値及び記憶された推定値に基づいてパルスの持続時間を計算する手段とを含む。別の噴霧器は、患者のピーク流量を測定する手段、吸息の持続時間を測定する手段、および測定値に基づいて１回換気量を計算する手段を含む、１回換気量を予測する手段と、医薬を霧化する手段と、患者の呼吸パターンを監視する手段と、呼吸パターンに応じて吸入相の長さおよび比率が変化するパルスを提供するように霧化手段を制御する手段とを含む。
【０００３】
かかる従来の噴霧器または医療用エアゾール送達装置は、ユーザまたは患者の呼吸パターンへのエアゾール薬物送達のタイミングを制御する適応型エアゾール送達アルゴリズムを実施する制御ユニットを含む。従来の適応型エアゾール送達アルゴリズムは、次の呼吸の長さを予測する目的で、短時間の吸入フローを呼吸として処理する。しかしながら、吸入フローの短い期間は、例えば、患者が、吸入と呼気との間の移行を意識的に制御しようとすること、または真の吸入の開始前にマウスピース内で舌を動かすことによって引き起こされ得る呼吸パターンの異常であり得る。
【０００４】
患者の呼吸パターンがこうした呼吸異常を有するようなものである場合、エアゾールを送達するのに費やされる呼吸ごとの時間の割合が減少し、全体的な治療時間が増加する。しかし、治療時間の増加は、治療レジメンの遵守不良を伴う。
【０００５】
特許文献２は、空気フローが通る第１と第２の開口を有する通路を通る空気フローの存在および方向を検出するための装置を開示している。この装置は、流路内に配置された圧電センサを備える。センサは、空気が第１の方向に通路を通って流れるとき、第１の電気信号を発生し、空気が第１の方向と反対の第２の方向に通路を通って流れるとき、第２の電気信号を発生する。
【０００６】
特許文献３は、吸入装置の様々な構成要素を作動及び制御する流体センサを開示している。センサは、吸入装置内に配置され、吸入装置内の流体を検出し、流体の周波数、方向および／または振幅を表す信号を出力する音響素子を含む。これらの信号は、静電プレートおよび／または高周波バイブレータを制御および作動させる。
【０００７】
特許文献４は、患者の呼吸における臨界点を予測する方法を開示している。本方法は、患者の呼吸努力波形の少なくとも１つの特性を監視して呼吸イベントを検出するステップを含む。呼吸イベントは吸入の始まりであってもよく、監視される呼吸努力波形の特性は勾配および振幅の少なくとも１つである。検出された吸入の始まりに応じて刺激を与えてもよい。
【０００８】
特許文献５は、患者の呼吸を監視する装置を開示している。この装置は、患者の呼吸ならびに呼吸アーティファクトを表す振幅変調を有する呼吸信号を生成する生成手段と、生成手段に結合されかつ呼吸信号に応答する処理手段とを含む。
【０００９】
特許文献６は、インピーダンスニューモグラフィック呼吸信号および患者の心拍数を監視する無呼吸検出器の方法および装置を開示している。呼吸事象、すなわち呼吸、吸入および呼気を解像するために、呼吸信号のエクスカーションの大きさが監視される。
【先行技術文献】
【特許文献】
【００１０】
【特許文献１】欧州特許出願公開第ＥＰ１５２５８９３Ａ２号
【特許文献２】米国特許第５，２０１，３２２号公報
【特許文献３】米国特許出願公開第２００５／０１８３７２５  Ａ１号
【特許文献４】米国特許第５，９４４，６８０号
【特許文献５】欧州特許出願公開第ＥＰ７６５６３１Ａ２号公報
【特許文献６】米国特許第６，５３７，２２８Ｂ１号
【発明の概要】
【００１１】
したがって、特に治療時間を短縮することができる、医療用エアゾール送達装置のための改良された制御装置を提供する必要があり得る。
本発明の問題は、独立請求項の主題により解決され、さらに別の実施形態は従属請求項に記載されている。
【００１２】
留意点として、以下に記載される本発明の態様は、医療用エアゾール送達装置の制御装置、医療用エアゾール送達システム、医療用エアゾール送達装置を制御する方法、コンピュータプログラム要素、およびコンピュータ可読媒体にも適用される。
【００１３】
本発明によれば、医療用エアゾール送達装置の制御装置が提示される。制御装置は、供給ユニットと、処理ユニットと、制御ユニットとを備える。供給ユニットは、呼吸ごとの吸入長データを提供するように構成される。処理ユニットは、提供された吸入長データを所定の吸入長閾値と比較し、所定の吸入長閾値未満の吸入長データをフィルタリングするように構成される。制御ユニットは、フィルタリングされた吸入長データに基づいて医療用エアゾール送達装置２を制御するように構成される。
【００１４】
呼吸ごとに提供される吸入長データは、１つまたは複数の測定された呼吸信号、呼吸値、吸入持続時間、吸入長さまたは吸入時間を含む、またはそれらとして理解することができる。
【００１５】
提供される吸入長さデータと所定の吸入長さ閾値との比較は、吸入長データにおけるアーティファクトおよび／またはスパイクの検出として理解され得る。アーティファクトおよび／またはスパイクは、例えば、ユーザが吸入と呼気との間の移行を意識的に制御しようとすることによって、または本当の吸入の開始前にマウスピースを内で舌を動かすことによって生じる、短い呼吸および／または呼吸パターンの異常として理解され得る。
【００１６】
所定の吸入長閾値は、５０ｍｓと１０００ｍｓの間、または１００ｍｓと４００ｍｓの間であってもよく、または約２５０ｍｓであってもよい。
【００１７】
フィルタリングされた吸入長データは、提供された吸入長データがフィルタリングされて得られるデータである。
【００１８】
本発明による医療用エアゾール送達装置の制御装置により、治療時間を短縮できる。これの達成は、制御装置が、ユーザの呼吸パターンへのエアゾール薬物送達のタイミングを制御するアルゴリズムを実施することによる。これにより、制御装置は、短時間の吸入フローが患者の呼吸に霧化するのに費やす時間を短縮することを防止し、それによって全体の治療時間を増加させることができる。言い換えれば、本発明は、例えば、吸入と呼息との間の遷移を意識的に制御することにより、または医療用エアゾール送達装置のマウスピースの中で舌を動かすことにより生じる短い吸入期間および／または呼吸パターンの異常の結果として、アルゴリズムがエアゾール送達期間を短縮することを防止する。利点は、全般的な治療時間が短く保たれ、良好な治療レジメンのコンプライアンスが促進されることである。
【００１９】
これは、吸入長データのアーティファクトおよび／またはスパイクが改善された方法で管理されるので、達成される。つまり、これらのアーティファクトが検出され、フィルタリングされる。このようなアーティファクトは、吸入長データが、例えば、５０ｍｓないし１０００ｍｓの範囲であり、好ましくは２５０ｍｓになるときに、検出され得る。フィルタリングは、吸入長データの無視、または吸入長データの以前の移動平均値による置換を含むことができる。換言すれば、本発明は、例えば２５０ｍｓ未満の吸入フローの期間が次の呼吸の長さの予測および次の呼吸へのエアゾール送達期間の設定に含まれることを防止する。
【００２０】
フィルタリングは、前記所定吸入長閾値未満の提供された吸入長データを除去または無視することであり得る。また、フィルタリングは、データベース値、平均値、または以前の呼吸の移動平均値によって、所定の吸入長さ閾値より下の提供された吸入長データを置き換えることであってもよい。したがって、処理ユニットは、提供された吸入長データを処理して、呼吸ごとの前回の移動平均値にするように構成されてもよい。所定の吸入長さ閾値よりも低い与えられた吸入長さのデータを前の呼吸の移動平均値で置き換えることにより、閾値未満の連続呼吸があった場合に計算がクラッシュする可能性が排除される。
【００２１】
以前の移動平均値は、例えば、３回呼吸移動平均値であり得る。移動平均値は、他の任意の回数の呼吸に基づくこともでき、例えば、５回呼吸移動平均値、またはより古い呼吸の影響を除去するように重み付けされた、例えば指数的加重移動平均とすることができる。例えば、吸入数ｎが３より大きい場合、３回呼吸移動平均τは、前の３回の呼吸の吸入長を足して３で割ることによって計算され得る。例えば、吸入長が所定の吸入長閾値が２５０ｍｓ未満である場合、この吸入長は前の移動平均値τｊに置き換えられる。下記の例では、すべての時間が２５０ｍｓより長く取られる：
【００２２】
【数１】
2018526054.tif 000003
。
【００２３】
提供または測定された吸入長τが２５０ｍｓ未満、例えばｔｎ−２である場合、３回呼吸移動平均は、
【００２４】
【数２】
2018526054.tif 000004
を用いて計算される。吸入番号ｎ−２における３回呼吸移動平均値τを用いて、２５０ミリ秒未満の測定吸入長を置き換える。
【００２５】
３回呼吸移動平均τを用いて、エアゾールが次の呼吸に送達される時間の長さを計算する。本発明による制御装置は、Ｐｈｉｌｉｐｓ  Ｉｎｅｂのようなハイエンド噴霧器の適応エアゾール送達のために使用することができる。医療用エアゾール送達装置は、メッシュベースの噴霧器であってもよい。
【００２６】
一例では、前記制御装置は、フィルタリングされた吸入長データに基づいてユーザのその後の吸入の予測吸入時間を計算するように構成される。
【００２７】
一例では、前記制御装置は、フィルタリングされた吸入長データに基づいてユーザのその後の吸入の目標エアゾールパルス長を計算するように構成される。
【００２８】
一例では、前記供給ユニットはさらに吸入フローデータを提供するように構成され、前記処理ユニットはさらに、提供されたフローデータがほぼゼロであるときをフィルタし、フローデータを平均するように構成される。
【００２９】
本発明によれば、医療用エアゾール送達システムが提供される。医療用エアゾール送達システムは、上記の通り、エアゾール送達装置および制御装置を含む。制御装置は、エアゾール送達装置２を制御するように構成される。エアゾール送達装置は、エアゾールをユーザに送達するように構成される。エアゾール送達装置は、Ｐｈｉｌｉｐｓ  Ｉｎｅｂのようなハイエンド噴霧器の適応型エアゾール送達装置であってもよい。医療用エアゾール送達装置は、メッシュベースの噴霧器であってもよい。
【００３０】
本発明によれば、医療用エアゾール送達装置を制御する方法も提示される。この方法は、必ずしもこの順序ではないが、以下のステップを含む：
−  呼吸ごとの吸入長データを提供するステップと、
−  提供される吸入長データを所定吸入長閾値と比較するステップと、
−  前記所定吸入長閾値より低い提供される吸入長データをフィルタリングするステップと、
−  フィルタリングされた吸入長データに基づいて前記医療用エアゾール送達装置を制御するステップ。
【００３１】
本発明による医療用エアゾール送達装置の制御装置により、治療時間を短縮でき、よい治療レジメン遵守が可能となる。これは、吸入長データのアーティファクトおよび／またはスパイクが検出及びフィルタリングされるので、達成される。このようなアーティファクトは、吸入長データが、例えば、５０ｍｓないし１０００ｍｓの範囲であるときに、検出され得る。フィルタリングは、吸入長データの無視、または吸入長データの以前の移動平均値による置換を含むことができる。これにより、制御装置は、短時間の吸入フローが患者の呼吸に霧化するのに費やす時間を短縮することを防止し、それによって全体の治療時間を増加させることができる。
【００３２】
また、本発明によれば、コンピュータプログラム要素が提示される。前記コンピュータプログラム要素は、コンピュータプログラムが、医療用エアゾール送達装置または医療用エアゾール送達システムの制御装置を制御するコンピュータ上で実行されるときに、独立した装置の請求項に定義された医療用エアゾール送達装置または前記医療用エアゾール送達システムの制御装置に、独立請求項に記載の医療用エアゾール送達装置を制御する方法のステップを実行させるプログラムコード手段を含む。
【００３３】
言うまでもなく、独立請求項に記載した、医療用エアゾール送達装置の制御装置、医療用エアゾール送達システム、医療用エアゾール送達装置を制御する方法、そのような装置またはシステムを制御するコンピュータプログラム要素、およびそのようなコンピュータプログラムを格納したコンピュータ可読媒体は、特に、従属請求項に規定されているように、同様のおよび／または同一の好ましい実施形態を有する。言うまでもなく、本発明の好ましい実施形態はさらに、従属項の、各独立項との任意の組合せであり得る。
【００３４】
本発明のこれらの態様等は、以下に説明する実施形態から明らかであり、これらの実施形態を参照して説明する。
【図面の簡単な説明】
【００３５】
本発明の例示的な実施形態を、添付の図面を参照して以下に説明する。
【図１】医療用エアゾール送達システムの一例を示す概略図である。
【図２】各呼吸がｔｘ秒の吸入長さを有し、これらの全てが２５０ｍｓよりも長い、４回の呼吸のシーケンスを示す。
【図３】２５０ｍｓ未満の吸入長を有する１回の呼吸を伴う５回の呼吸のシーケンスを示す。
【図４】医療用エアゾール送達装置を制御する方法の一例の基本的ステップを示す図である。
【発明を実施するための形態】
【００３６】
図１は、医療用エアゾール送達システム１の一実施形態を概略的かつ例示的に示す。医療用エアゾール送達システム１は、エアゾール送達装置２および制御装置１０を含む。エアゾール送達装置２は、エアゾールをユーザに送達するように構成される。制御装置１０は、エアゾール送達装置２を制御するように構成される。したがって、制御装置１０は、供給ユニット１１、処理ユニット１２、および制御ユニット１３を備える。供給ユニット１１は、呼吸ごとの吸入長データを提供するように構成される。処理ユニット１２は、提供された吸入長データを所定の吸入長閾値と比較し、所定の吸入長閾値未満の吸入長データをフィルタリングするように構成される。制御ユニット１３は、フィルタリングされた吸入長データに基づいて医療用エアゾール送達装置２を制御するように構成される。
【００３７】
本発明による医療用エアゾール送達装置１および医療用エアゾール送達装置２用の制御装置１０は、治療時間を短縮することを可能にする。これの達成は、制御装置１０が、ユーザの呼吸パターンへのエアゾール薬物送達のタイミングを制御するアルゴリズムを実施することによる。これにより、制御装置１０は、短時間の吸入フローが患者の呼吸に霧化するのに費やす時間を短縮することを防止し、それによって全体の治療時間を増加させることができる。
【００３８】
一例では、所定の吸入長閾値は、５０ｍｓと１０００ｍｓとの間である。さらに別の例では、所定の吸入長閾値は、１００ｍｓないし４００ｍｓである。別の例では、所定の吸入長閾値は２５０ｍｓである。
【００３９】
一例では、フィルタリングは、所定の吸入長閾値よりも低い、与えられた吸入長データを除去することである。
【００４０】
別の例では、処理ユニット１２は、与えられた吸入長データを処理して、呼吸ごとの３呼吸移動平均値にするようにさらに構成される。フィルタリングは、所定の吸入長閾値未満の、提供吸入長データを前の３呼吸移動平均値による置換である。
【００４１】
図２及び図３において、前の移動平均値は３呼吸移動平均値である。例えば、吸入数ｎが３より大きい場合、３回呼吸移動平均τは、前の３回の呼吸の吸入長を足して３で割ることによって計算される。この例では、吸入長が所定の吸入長閾値２５０ｍｓ未満である場合、この吸入長は前の移動平均値τｊに置き換えられる。図２の例では、すべての時間が２５０ｍｓより長く取られる：
【００４２】
【数３】
2018526054.tif 000005
。
【００４３】
図３において、提供された吸入長または測定された吸入長ｔｎ−２が２５０ｍｓ未満である場合、３回呼吸移動平均は、
【００４４】
【数４】
2018526054.tif 000006
を用いて計算される。吸入番号ｎ−２における３回呼吸移動平均値τを用いて、２５０ミリ秒未満の測定吸入長を置き換える。
【００４５】
３回呼吸移動平均τを用いて、エアゾールが次の呼吸に送達される時間の長さを計算する。
【００４６】
図４は、医療用エアゾール送達装置２を制御する方法のステップの概要を示す図である。この方法は、必ずしもこの順序ではないが、以下のステップを含む：
−  第１のステップＳ１において、１呼吸ごとの吸入長データを提供する。
−  第２のステップＳ２において、提供された吸入長データを所定の吸入長閾値と比較する。
−  第３のステップＳ３において、所定の吸入長閾値未満の吸入長データをフィルタリングする。
−  第４のステップＳ４において、フィルタリングされた吸入長データに基づいて、医療用エアゾール送達装置２を制御する。
【００４７】
一例では、医療用エアゾール送達装置２は、フィルタリングされた吸入長データに基づいて、ユーザのその後の吸入の予測吸入時間を計算する。一例では、医療用エアゾール送達装置２は、フィルタリングされた吸入長データに基づいて、ユーザのその後の吸入の目標エアゾールパルス長を計算する。
【００４８】
本発明の他の一実施形態では、適切なシステムにおいて、上記の実施形態の一つによる方法の方法ステップを実行するように較正されたことを特徴とするコンピュータプログラムまたはコンピュータプログラム要素が提供される。
【００４９】
コンピュータプログラム要素は、コンピュータユニットに記憶されてもよい。コンピュータユニットも本発明の一実施形態の一部であってもよい。このコンピューティングユニットは、上記の方法のステップを実行するまたは実行を誘起するように構成され得る。さらに、上記の装置のコンポーネントを動作させるように構成されていてもよい。コンピューティングユニットは、自動的に動作し、及び／またはユーザの命令を実行するように構成されている。コンピュータプログラムはデータプロセッサのワーキングメモリにロードされる。データプロセッサは、本発明の方法を実行するように構成されている。
【００５０】
本発明のこの実施形態は、初めから本発明を用いるコンピュータプログラムと、アップデートにより本発明を用いるプログラムになる既存のプログラムとの両方をカバーする。
【００５１】
さらに、コンピュータプログラム要素は、上記の方法の実施形態の手順を満たす必要なすべてのステップを提供できる。
【００５２】
本発明のさらに別の一実施形態によると、ＣＤ−ＲＯＭなどのコンピュータ読み取り可能媒体が提供され、そのコンピュータ読み取り可能媒体は、前のセクションで説明したコンピュータプログラム要素を記憶したものである。
【００５３】
コンピュータプログラムは、光記憶媒体や他のハードウェアとともに、またはその一部として供給される固体媒体などの適切な媒体に記憶及び／または配布することができ、インターネットや有線または無線の電気通信システムなどを介して他の形式で配信することもできる。
【００５４】
しかし、コンピュータプログラムは、ワールドワイドウェブ等のネットワーク上で提供されてもよく、そのようなネットワークからデータプロセッサのワーキングメモリにダウンロードされてもよい。本発明のさらにべつの実施形態では、コンピュータプログラム要素をダウンロードできるようにする媒体が提供され、そのコンピュータプログラム要素は本発明の上記の実施形態の一つによる方法を実行するように構成されている。
【００５５】
留意すべき点として、本発明の実施形態を、異なる主題を参照して説明する。具体的に、一部の実施形態を方法の請求項を参照して説明し、他の一部の実施形態を装置の請求項を参照して説明する。しかし、本技術分野の当業者は、上記の説明と以下の説明から、特に断らないかぎり、一種類の主題に属する特徴の任意の組み合わせに加えて、異なる複数の主題に関係する特徴の間の任意の組み合わせも本出願で開示されていると考えられることが分かるであろう。しかし、すべての特徴は組み合わせて、特徴の単なる和以上のシナジー効果を提供することができる。
【００５６】
図面と上記の説明に詳しく示し本発明を説明したが、かかる例示と説明は例であり限定ではない。本発明は開示した実施形態には限定されない。請求項に記載した発明を実施する際、図面、本開示、及び従属項を研究して、開示した実施形態のその他のバリエーションを、当業者は理解して実施することができるであろう。
【００５７】
請求項において、「有する（ｃｏｍｐｒｉｓｉｎｇ）」という用語は他の要素やステップを排除するものではなく、「１つの（“ａ”  ｏｒ  “ａｎ”）」という表現は複数ある場合を排除するものではない。単一のプロセッサまたはその他のアイテムが請求項に記載した複数のユニットの機能を満たすこともできる。相異なる従属クレームに手段が記載されているからといって、その手段を組み合わせて有利に使用することができないということではない。請求項に含まれる参照符号は、その請求項の範囲を限定するものと解してはならない。
【図１】
2018526054.tif 000007
【図２】
2018526054.tif 000008
【図３】
2018526054.tif 000009
【図４】
2018526054.tif 000010
【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
医療用エアゾール送達装置を制御するように構成された制御装置であって、
供給ユニットと、
処理ユニットと、
制御ユニットとを有し、
前記供給ユニットは、呼吸ごとの吸入持続時間データを提供するように構成され、
前記処理ユニットは、提供された吸入持続時間データを所定吸入持続時間閾値と比較し、前記所定吸入持続時間閾値未満の吸入持続時間データをフィルタリングするように構成され、
前記フィルタリングは、前記所定吸入持続時間閾値未満の提供された吸入持続時間データの除去を含み、
前記制御ユニットは、フィルタリングされた吸入持続時間データに基づいて前記医療用エアゾール送達装置を制御するように構成される、
制御装置。
【請求項２】
前記所定吸入持続時間閾値は、５０ｍｓと１０００ｍｓとの間である、
請求項１に記載の制御装置。
【請求項３】
前記所定吸入持続時間閾値は、１００ｍｓと４００ｍｓとの間である、
請求項１または２に記載の制御装置。
【請求項４】
前記所定吸入持続時間閾値は２５０ｍｓである。
請求項１ないし３いずれか一項に記載の制御装置。
【請求項５】
前記処理ユニットは、提供された吸入持続時間データを処理して、呼吸ごとの移動平均値にするようにさらに構成され、前記フィルタリングは、前記所定吸入持続時間閾値未満の提供された吸入持続時間データの、前の呼吸の移動平均値による置換を含む、
請求項１ないし４いずれか一項に記載の制御装置。
【請求項６】
前記供給ユニットはさらに吸入フローデータを提供するように構成され、前記処理ユニットはさらに、提供されたフローデータがほぼゼロであるときをフィルタするように構成される、
請求項１ないし５いずれか一項に記載の制御装置。
【請求項７】
前記制御装置は、フィルタリングされた吸入持続時間データに基づいてユーザのその後の吸入の予測吸入時間を計算するように構成される、
請求項１ないし６いずれか一項に記載の制御装置。
【請求項８】
前記制御装置は、フィルタリングされた吸入持続時間データに基づいてユーザのその後の吸入の目標エアゾールパルス持続時間を計算するように構成される、
請求項１ないし７いずれか一項に記載の制御装置。
【請求項９】
エアゾール送達装置と、
請求項１ないし８いずれか一項に記載の制御装置とを有し、
前記エアゾール送達装置は、エアゾールをユーザに送達するように構成される、
医療用エアゾール送達システム。
【請求項１０】
前記医療用エアゾール送達装置はメッシュベースの噴霧器である、
請求項９に記載の医療用エアゾール送達システム。
【請求項１１】
医療用エアゾール送達装置を制御する方法であって、
呼吸ごとの吸入持続時間データを提供するステップと、
提供される吸入持続時間データを所定吸入持続時間閾値と比較するステップと、
前記所定吸入持続時間閾値より低い提供される吸入持続時間データをフィルタリングするステップであって、前記フィルタリングは、前記所定吸入持続時間閾値未満の提供された吸入持続時間データの除去を含む、ステップと、
フィルタリングされた吸入持続時間データに基づいて前記医療用エアゾール送達装置を制御するステップとを有する方法。
【請求項１２】
請求項１ないし１０いずれか一項に記載の装置またはシステムを制御するコンピュータプログラム要素であって、処理ユニットにより実行された時、請求項１１に記載の方法のステップを実行するように構成された、コンピュータプログラム要素。
【請求項１３】
請求項１２に記載のコンピュータプログラム要素を記憶したコンピュータ読み取り可能媒体。
【国際調査報告】
2018526054.tif 000011
2018526054.tif 000012
2018526054.tif 000013
2018526054.tif 000014